(57)【要約】【課題】  車両におけるタイヤの空気圧を検知するタイヤ空気圧監視システムにタイヤ識別情報を登録する際に使用されるタイヤ識別情報登録システムにおいて、車両の走行性能を悪化させることなく容易にタイヤ識別情報の登録ができるようにする。【解決手段】  読取装置８２はバーコードからセンサＩＤを取得し、通信装置８８は読取装置８２が取得したセンサＩＤを含む登録指令を車両２に対して送信する。そして、車両２に搭載されたタイヤＥＣＵ５０は、通信装置８８からの登録指令を受信すると、この登録指令に含まれるセンサＩＤをＲＡＭ５６に非アクティブ登録する。従って、このようなタイヤ識別情報登録システムによれば、面倒な入力操作することなくセンサＩＤを取得することができ、取得されたセンサＩＤを車両２側に登録することができるので、センサＩＤの登録を容易にすることができる。【選択図】  図１
2005231584.tif 000002
【特許請求の範囲】
【請求項１】
車両の複数のタイヤ内にそれぞれ組み込まれ、少なくとも該各タイヤの空気圧を検出し、該タイヤの空気圧を含むタイヤ状態と該タイヤを識別するために予め設定されたタイヤ識別情報とを含むタイヤ情報を、無線送信する複数の検出手段と、
前記車両に搭載され、該車両に装着され得るタイヤについてのタイヤ識別情報を予め登録しておくための記憶手段と、
前記車両に搭載され、前記各検出手段から送信されたタイヤ情報を受信し、該タイヤ情報に含まれるタイヤ識別情報が前記記憶手段に登録されたタイヤ識別情報と一致するか否かを判断し、該タイヤ識別情報が一致する場合に、受信したタイヤ情報からタイヤ状態を取得するタイヤ状態取得手段と、
を備えたタイヤ空気圧監視システムにおいて、前記記憶手段にタイヤ識別情報を登録する際に使用されるタイヤ識別情報登録システムであって、
前記車両の外部に配置され、前記記憶手段に登録すべきタイヤ識別情報を外部から取得する識別情報取得手段と、
前記車両の外部に配置され、前記識別情報取得手段により取得されたタイヤ識別情報を含む登録指令を前記車両に対して送信する送信手段と、
前記車両に搭載され、該送信手段から該車両宛に送信された登録指令を受信すると、該登録指令に含まれるタイヤ識別情報を前記記憶手段に登録する登録手段と、
を備えたことを特徴とするタイヤ識別情報登録システム。
【請求項２】
前記記憶手段には、前記車両を特定するための車両識別情報が登録されており、
前記識別情報取得手段は、前記車両を特定するための車両識別情報と前記タイヤ識別情報とを車両の外部から取得し、
前記送信手段は、前記識別情報取得手段により取得された各識別情報を含む登録指令を無線送信し、
前記登録手段は該送信手段からの登録指令を受信すると予め記憶手段に登録された車両識別情報が該登録手段から受信した車両識別情報と一致するか否かを判断し、該車両識別情報が一致する場合に、該タイヤ識別情報を記憶手段に登録すること、
を特徴とする請求項１に記載のタイヤ識別情報登録システム。
【請求項３】
前記識別情報取得手段は、前記車両を特定するための車両識別情報と前記タイヤ識別情報とを車両の外部から取得し、
前記送信手段は、前記車両識別情報に基づいて特定される車両に対して、前記識別情報取得手段により取得されたタイヤ識別情報を含む登録指令を前記送信手段側および前記登録手段側の双方に備えられた無線通信装置を介して前記登録手段に対して送信すること
を特徴とする請求項１に記載のタイヤ識別情報登録システム。
【請求項４】
前記車両識別情報は電子メールアドレスであって、
前記送信手段は、前記登録指令を送信すべき車両の電子メールアドレスに、前記登録指令が含まれる電子メールを送信し、
前記登録手段は、自車両に対する電子メールを受信し、該電子メールに前記登録指令が含まれている場合に、該登録指令に含まれるタイヤ識別情報を前記記憶手段に登録すること
を特徴とする請求項３に記載のタイヤ識別情報登録システム。
【請求項５】
前記タイヤ空気圧監視システムには、
前記車両に搭載され、前記タイヤ状態取得手段により前記タイヤ状態を取得した後に、前記記憶手段に予め登録された空気圧許容範囲に基づいて、タイヤの空気圧が許容範囲内であるか否かを判断し、該タイヤの空気圧が許容範囲外であると判断した場合に、異常を運転者に報知する異常報知手段を備え、
前記識別情報取得手段は、前記タイヤ識別情報に加えて前記空気圧許容範囲も取得し、送信手段は該識別情報取得手段により取得された識別情報および空気圧許容範囲を含む登録指令を前記車両に対して送信し、
前記登録手段は、前記タイヤ識別情報に加えて前記空気圧許容範囲も前記記憶手段に登録すること
を特徴とする請求項１〜請求項４の何れかに記載のタイヤ識別情報登録システム。
【請求項６】
前記各検出手段は、前記タイヤ情報の１つとして、該タイヤが車両本体に装着されているか否かを検知するための装着情報も無線送信し、
前記記憶手段はタイヤ識別情報を有効登録および無効登録に分類して記憶し、
前記タイヤ状態取得手段は、前記検出手段により取得されたタイヤ情報に含まれるタイヤ識別情報が前記記憶手段に有効登録されたタイヤ識別情報と一致する場合に前記タイヤ状態を取得し、前記タイヤ識別情報が前記記憶手段に無効登録されたタイヤ識別情報と一致する場合に前記タイヤ状態に含まれるタイヤ識別情報と装着情報とを取得する構成であって、
前記登録手段は、該送信手段から該車両宛に送信された登録指令を受信したときに、該登録指令に含まれるタイヤ識別情報を前記記憶手段に無効登録し、その後、前記タイヤ状態取得手段が取得した装着情報に基づいて該タイヤが車両に装着されているか否かを判断し、該タイヤが車両に装着されている場合には、該タイヤ識別情報を前記記憶手段に有効登録すること
を特徴とする請求項１〜請求項５の何れかに記載のタイヤ識別情報登録システム。
【請求項７】
前記検出手段は、前記装着情報としてタイヤの温度を検出し、
前記登録手段は、該検出手段により検出されたタイヤ温度の変化に基づいて、前記タイヤが装着されているか否かを判断すること
を特徴とする請求項６に記載のタイヤ識別情報登録システム。
【請求項８】
前記識別情報取得手段は、バーコードを読み取ることにより前記タイヤ識別情報を読み取ることを特徴とする請求項１〜請求項７の何れかに記載のタイヤ識別情報登録システム。
【請求項９】
車両の複数のタイヤ内にそれぞれ組み込まれ、少なくとも該各タイヤの空気圧を検出し、該タイヤの空気圧を含むタイヤ状態と該タイヤを識別するために予め設定されたタイヤ識別情報とを含むタイヤ情報を、無線送信する複数の検出手段と、
前記車両に搭載され、該車両に装着され得るタイヤについてのタイヤ識別情報を予め登録しておくための記憶手段と、
前記車両に搭載され、前記各検出手段から送信されたタイヤ情報を受信し、該タイヤ情報に含まれるタイヤ識別情報が前記記憶手段に登録されたタイヤ識別情報と一致するか否かを判断し、該タイヤ識別情報が一致する場合に、受信したタイヤ情報からタイヤ状態を取得するタイヤ状態取得手段と、
を備えたタイヤ空気圧監視システムにおいて、前記記憶手段に前記タイヤ識別情報を登録するためのタイヤ識別情報登録装置であって、
前記記憶手段に登録すべきタイヤ識別情報を外部から取得する識別情報取得手段と、
前記識別情報取得手段により取得されたタイヤ識別情報を含む登録指令を車両に搭載された登録手段に送信することにより、該登録手段を介して記憶手段にタイヤ識別情報を登録する送信手段と、
を備えたことを特徴とするタイヤ識別情報登録装置。
【発明の詳細な説明】
【技術分野】
【０００１】
本発明は、車両におけるタイヤの空気圧を検知するタイヤ空気圧監視システムにタイヤ識別情報を登録する際に使用されるタイヤ識別情報登録システム、およびタイヤ識別情報登録装置に関する。
【背景技術】
【０００２】
従来より、車両のタイヤに備えられた空気圧センサから、車両に備えられた空気圧判定装置に対して無線によりタイヤ空気圧信号を送信し、このタイヤ空気圧信号を受信した空気圧判定装置がタイヤの空気圧に異常があると判定した場合に、タイヤ空気圧の異常を運転者に報知するタイヤ空気圧監視システムが知られている(例えば、特許文献１参照)。
【０００３】
このタイヤ空気圧監視システムにおいては、各タイヤに各タイヤを識別するためのタイヤ識別情報（ＩＤ）が設定されており、予め車両側に登録されたタイヤ識別情報と、装着されている各タイヤから送信されるタイヤ識別情報とが一致した場合に、装着されたタイヤの空気圧を取得できるよう構成されている。
【０００４】
また、このタイヤ空気圧監視システムにおいて、タイヤ識別情報を車両本体側に登録するときには、まず、タイヤに備えられたタイヤ識別情報登録用スイッチをＯＮにし、タイヤ登録信号と共にタイヤ識別情報を車両に送信する。そして、車両側ではこのタイヤ登録信号を受信することにより、タイヤ識別情報が登録される。
【特許文献１】特許第３４３８６６２号公報
【発明の開示】
【発明が解決しようとする課題】
【０００５】
しかしながら、上記タイヤ空気圧監視システムにおいては、タイヤ識別情報を登録するためのみに使用されるスイッチがタイヤに備えられているため、走行時に常に回動するタイヤの慣性重量が大きくなり、加減速時の走行性能が悪化するという問題点があった。
【０００６】
この問題を解決するためには、タイヤからタイヤ識別情報を送信して登録するのではなく、車両内や車両外に位置する専用の装置を操作してタイヤ識別情報を登録することが考えられるが、単にこのような装置を用いてタイヤ識別情報を登録する場合には、装着するタイヤ毎に異なるタイヤ識別情報をそれぞれ入力する必要があるため、タイヤ識別情報を登録するのに手間が掛かるという問題点がある。
【０００７】
そこで、このような問題点を鑑み、車両におけるタイヤの空気圧を検知するタイヤ空気圧監視システムにタイヤ識別情報を登録する際に使用されるタイヤ識別情報登録システムにおいて、車両の走行性能を悪化させることなく容易にタイヤ識別情報の登録ができるようにすることを本発明の目的とする。
【課題を解決するための手段】
【０００８】
かかる目的を達成するために成された請求項１に記載のタイヤ識別情報登録システムは、タイヤ空気圧監視システムにおいて、タイヤ識別情報を予め登録しておくための記憶手段にタイヤ識別情報を登録する際に使用されるシステムである。すなわち、このシステムにおいて、車両の外部に配置された識別情報取得手段は、記憶手段に登録すべきタイヤ識別情報を外部から取得する。そして、車両の外部に配置された送信手段は、識別情報取得手段が取得したタイヤ識別情報を含む登録指令を車両に対して送信し、車両に搭載された登録手段は、送信手段からの登録指令を受信すると、この登録指令に含まれるタイヤ識別情報を記憶手段に登録する。
【０００９】
従って、このようなタイヤ識別情報登録システムによれば、面倒な入力操作することなくタイヤ識別情報を取得することができ、取得されたタイヤ識別情報を車両側に登録することができるので、タイヤ識別情報の登録を容易にすることができる。また、各タイヤにタイヤ識別情報を登録するためのスイッチ等を配置する必要がないので、タイヤの重量が重くなることがなく、車両の走行性能を悪化させることがない。
【００１０】
ところで、車両外部に配置された送信手段と車両に搭載された登録手段とは、タイヤ識別情報を登録する際にケーブル等を用いて有線で接続する構成が考えられるが、より好ましくは、送信手段と登録手段とは無線で接続する構成が望ましい。また、このように送信手段から登録手段にタイヤ識別情報を無線送信する場合には、タイヤ識別情報を登録する車両を特定できるようにすることが好ましい。
【００１１】
具体的には、例えば、請求項２に記載のように構成することが考えられる。すなわち、記憶手段には、車両を特定するための車両識別情報を登録しておき、識別情報取得手段は、車両を特定するための車両識別情報とタイヤ識別情報とを車両の外部から取得する。そして、送信手段は、識別情報取得手段により取得された各識別情報を含む登録指令を無線送信する。その後、登録手段は送信手段からの登録指令を受信すると予め記憶手段に登録された車両識別情報が登録手段から受信した車両識別情報と一致するか否かを判断し、車両識別情報が一致する場合に、タイヤ識別情報を記憶手段に登録する。
【００１２】
また或いは、請求項３のように構成することも考えられる。すなわち、識別情報取得手段は、車両を特定するための車両識別情報とタイヤ識別情報とを車両の外部から取得する。そして、送信手段は、車両識別情報に基づいて特定される車両に対して、識別情報取得手段により取得されたタイヤ識別情報を含む登録指令を送信手段側および登録手段側の双方に備えられた無線通信装置を介して登録手段に対して送信する。
【００１３】
従って、このようなタイヤ識別情報登録システムによれば、無線によりタイヤ識別情報を送信する場合であっても、車両識別情報によりタイヤ識別情報を送信する車両を特定することができるので、不要なタイヤ識別情報が登録されることを防止することができる。
【００１４】
特に請求項３に記載のタイヤ識別情報登録システムにおいては、請求項４に記載のように、識別情報取得手段が取得する車両識別情報は電子メールアドレスであって、送信手段は、登録指令を送信すべき車両の電子メールアドレスに、登録指令が含まれる電子メールを送信し、登録手段は、自車両に対する電子メールを受信し、この電子メールに登録指令が含まれている場合に、登録指令に含まれるタイヤ識別情報を記憶手段に登録することが望ましい。
【００１５】
このようなタイヤ識別情報登録システムによれば、広く普及している電子メールを車両に送信することによりタイヤ識別情報を登録することができるので、汎用性の高いタイヤ識別情報登録システムとすることができる。
【００１６】
また、タイヤ空気圧監視システムにおいては、取得したタイヤ空気圧の値をそのままメータ等の表示装置に表示させることも考えられるが、タイヤ空気圧が許容範囲外であると判断した場合に、異常報知手段により異常を運転者に報知できるよう構成されている場合には、タイヤの適切な空気圧はタイヤにより異なることがあるため、タイヤ空気圧の許容範囲を固有に設定できるよう構成することが好ましい。すなわち、請求項５に記載のように、識別情報取得手段は、タイヤ識別情報に加えて空気圧許容範囲も取得し、送信手段は識別情報取得手段により取得された識別情報および空気圧許容範囲を含む登録指令を車両に対して送信し、登録手段は、タイヤ識別情報に加えて空気圧許容範囲も記憶手段に登録するよう構成すればよい。
【００１７】
このようなタイヤ識別情報登録システムによれば、タイヤ毎に適切な空気圧が異なっていた場合であっても、タイヤ毎に異なる適切な空気圧許容範囲を設定することができるので、タイヤ空気圧がタイヤ毎に設定された空気圧許容範囲から逸脱した場合に、異常報知手段により異常として報知することができる。このため、タイヤの空気圧に異常が発生した場合に、例えば、単に空気圧を数値にて報知する場合と比較して、車両の乗員に分かり易く報知することができる。
【００１８】
さらに、タイヤ空気圧監視システムにおいて、各検出手段は、タイヤ情報の１つとして、タイヤが車両本体に装着されているか否かを検知するための装着情報も無線送信するよう構成されていることが考えられる。この場合には、請求項６に記載のように、記憶手段はタイヤ識別情報を有効登録および無効登録に分類して記憶し、タイヤ状態取得手段は、検出手段により取得されたタイヤ情報に含まれるタイヤ識別情報が、記憶手段に無効登録されたタイヤ識別情報と一致するときにタイヤ状態に含まれるタイヤ識別情報と装着情報とを取得するよう構成する。そして、登録手段は送信手段から車両宛に送信された登録指令を受信したときに、登録指令に含まれるタイヤ識別情報を記憶手段に無効登録し、その後、タイヤ状態取得手段が取得した装着情報に基づいて、このタイヤが車両に装着されているか否かを判断し、該タイヤが車両に装着されている場合には、タイヤ識別情報を記憶手段に有効登録するよう構成すればよい。
【００１９】
このようなタイヤ識別情報登録システムによれば、登録手段が装着されているタイヤを認識することができるので、タイヤ交換やタイヤ購入時に装着されていないタイヤ空気圧を誤って検知することを防止することができ、装着されたタイヤについて確実に空気圧を検知することができる。
【００２０】
また、請求項６に記載のタイヤ識別情報登録システムにおいて、検出手段はタイヤが装着されているか否かを判断するための装着情報として、例えば、振動や加速度、或いは遠心力等を検出してもよいし、請求項７に記載のように、検出手段はタイヤの温度を検出してもよい。この場合、登録手段は、検出手段により検出されたタイヤ温度の変化に基づいて、タイヤが装着されているか否かを判断するようにすればよい。
【００２１】
このようなタイヤ識別情報登録システムによれば、確実にタイヤが装着されているか否かを検出することができる。
さらに請求項１〜請求項７の何れかに記載のタイヤ識別情報登録システムにおいて、識別情報取得手段は、例えば、予め複数のタイヤ識別情報を含む情報が蓄積された記録媒体（データベース）から装着するタイヤ識別情報を選択し、取得する構成が考えられるが、請求項８に記載のように、識別情報取得手段はバーコードを読み取ることによりバーコードに記載されたタイヤ識別情報を読み取るよう構成されていてもよい。
【００２２】
このようなタイヤ識別情報登録システムによれば、識別情報取得手段により容易かつ確実にタイヤ識別情報を読み取ることができるので、タイヤ識別情報の登録を容易にすることができる。
【００２３】
次に、請求項９に記載のタイヤ識別情報登録装置は、タイヤ空気圧監視システムにおいて、タイヤ識別情報を予め登録しておくための記憶手段にタイヤ識別情報を登録する際に使用される装置である。すなわち、タイヤ識別情報登録装置における識別情報取得手段は記憶手段に登録すべきタイヤ識別情報を外部から取得する。そして、送信手段は識別情報取得手段が取得したタイヤ識別情報を含む登録指令を車両に搭載された登録手段に送信する。その後、車両に搭載された登録手段は、タイヤ識別情報登録装置からの登録指令を受信し、この登録指令に含まれるタイヤ識別情報を記憶手段に登録する。
【００２４】
従って、このようなタイヤ識別情報登録装置によれば、面倒な入力操作することなくタイヤ識別情報を取得することができ、取得されたタイヤ識別情報を車両側に登録することができる。また、車両の走行性能を悪化させることなくタイヤ識別情報の登録を容易にすることができる。
【発明を実施するための最良の形態】
【００２５】
以下に本発明の実施形態について説明する。
図１は本発明が適用された実施例のタイヤ識別情報登録システム（以下単に登録システムともいう）全体構成を表す説明図である。
【００２６】
本実施例の登録システムは、空気圧監視システムにおいて使用されるタイヤ情報（検出装置１０を識別するために設定されたセンサＩＤ（本発明でいうタイヤ識別情報）や空気圧許容範囲等）を登録するときに使用されるシステムであって、図１に示すように、車両２内に備えられた各装置と車両２外部に配置された登録装置８０（本発明でいうタイヤ識別情報登録装置）とから構成されている。
【００２７】
また、空気圧監視システムは、車両２の前後左右の車輪を構成する空気注入タイプのチューブレスタイヤ（以下単にタイヤという）４の内部にそれぞれ組み込まれた検出装置１０（本発明でいう検出手段）と、監視装置４０とを備えている。
【００２８】
なお、各車輪毎に設けられた検出装置１０は、それぞれ、同一構成であることから、図１には１つの検出装置１０を記載し、以下の説明においては、各車輪毎の検出装置１０を総称して検出装置１０ということとする。
【００２９】
登録装置８０は、例えば、自動車販売店や自動車用品販売店等において、店員が商品の売却を行なうときの会計処理を迅速に行うことができるようにするための装置として使用されるものであって、読取装置８２（本発明でいう識別情報取得手段）と通信装置８８（本発明でいう送信手段）とを備えている。
【００３０】
読取装置８２には、検出装置１０を識別するためのセンサＩＤや、このタイヤにおける空気圧許容範囲等が記載されたバーコードを読み取り可能なバーコード読取機８４と、クレジットカードの番号等の情報を読み取り可能な磁気読取機８６とを備えている。また、磁気読取機８６は、この磁気読取機８６にて読み取るクレジットカードにメールアドレス（車両識別情報）等の個人情報が記録されている場合には、この個人情報も読み取り可能に構成されている。
【００３１】
通信装置８８は、読取装置８２が取得した情報を、インターネット網８を介して電子メール形式にて車両２に送信するための装置である。通信装置８８から送信された電子メールは、インターネット網８および車両２に搭載されたナビゲーション装置７０と無線接続するための通信施設９０（ナビゲーション装置７０および通信施設９０は本発明でいう無線通信装置）を介して、ナビゲーション装置７０に送信される。
【００３２】
また、ナビゲーション装置７０には、車両を目的地まで案内するナビゲーション機能を司るナビＥＣＵ（電子制御装置）７２と、アンテナ７６を介して通信施設９０との無線通信を行うための通信装置７４とを備えている。なお、通信施設９０とナビゲーション装置７０との無線通信には、例えば、極超短波（ＵＨＦ）帯のＲＦ信号（例えば、周波数８００ＭＨｚの信号）が使用される。
【００３３】
ナビゲーション装置７０と監視装置４０とは車内ＬＡＮ６にて通信可能に接続されており、この車内ＬＡＮ６には運転席近傍に設けられた報知装置６０（本発明でいう異常報知手段）も接続されている。
【００３４】
次に、空気圧監視システムを構成する各検出装置１０は、各タイヤ内の空気圧等（本実施例では空気圧と温度）を検出し、その検出結果を、タイヤ毎に設定された所定の周期毎に極超短波（ＵＨＦ）帯のＲＦ信号（例えば、周波数３１５ＭＨｚの信号）を利用して、無線にて車体側の監視装置４０に送信するよう構成されている。
【００３５】
なお、各検出装置１０からのＲＦ信号の送信電力は、ＲＦ信号が監視装置４０側の受信アンテナ４２に届いて、監視装置４０側でタイヤ状態の検出結果（検出データ）を復元できる程度に設定されている。
【００３６】
一方、監視装置４０は、検出装置１０から送信されてくるＲＦ信号を受信アンテナ４２で受信し、その受信信号を復調することにより、各タイヤのタイヤ状態（空気圧、温度等）を監視し、その監視結果を車内ＬＡＮ６を介して報知装置６０に出力することで、タイヤ状態を乗員に報知する。
【００３７】
なお、報知装置６０は、タイヤ状態表示用の表示装置と、タイヤ状態の異常時にその旨を音で報知するブザー、スピーカ等の警報装置とから構成され、タイヤ状態が正常のときには、その旨を表示装置に表示し、タイヤ状態の異常時には、異常を表示装置に識別表示させると共に、警報装置から警報音を発生させる。
【００３８】
次に、検出装置１０と、監視装置４０とから構成される空気圧監視システムについて詳しく説明する。
図１に示すように、検出装置１０には、検出装置１０の内部回路に供給するバッテリ１４と、タイヤ４内の空気圧を検出する圧力センサ２２と、タイヤ４内の温度を検出する温度センサ２４と、これら各センサ２２、２４にて検出された空気圧や温度のデータを、タイヤ状態を表す検出信号（ＲＦ信号）として送信アンテナ２６から送信する送信回路２８と、制御回路２０と、が備えられている。
【００３９】
ここで、制御回路２０は、ＣＰＵ、ＲＯＭ、ＲＡＭ等を中心とするマイクロコンピュータにて構成されており、ＲＯＭには、当該検出装置１０が組み込まれたタイヤ固有の識別情報であるセンサＩＤが予め記憶されている。また、制御回路２０には各センサによる検出結果を所定の時間間隔にて送信するためのタイマを備えている。
【００４０】
そして、この制御回路２０は、圧力センサ２２および温度センサ２４を介してタイヤ状態（空気圧および温度）を検出し、その検出結果（検出データ）およびＲＯＭから読み出したセンサＩＤを送信回路２８から送信させるよう構成されている。
【００４１】
また、タイヤ状態の検出データを送信するのに使用される送信回路２８は、検出データをＵＨＦ帯のＲＦ信号として送信するものであるため、ＵＨＦ帯の搬送波を発生する局部発振器と、この局部発振器が発生した搬送波を制御回路２０からの出力データ（検出結果）に従い変調する変調回路とから構成されており、この変調回路にて搬送波を変調したＲＦ信号を、送信アンテナ２６から送信させる。
【００４２】
また、送信アンテナ２６は、監視装置４０側の受信アンテナ４２と同様、ＵＨＦ帯（例えば３１５ＭＨｚ）の信号を送受信可能なアンテナにて構成されている。
なお、制御回路２０、送信回路２８等、検出装置１０の内部回路は、全て、バッテリ１４から供給される直流定電圧を受けて動作するようにされている。また、監視装置４０は、車両２に搭載された図示しない車載バッテリから電源供給を受けて動作する。
【００４３】
次に、監視装置４０には、検出装置１０から送信されたＲＦ信号を受信する受信アンテナ４２と、受信アンテナ４２により受信されたタイヤ状態の検出データを復元する受信回路４４と、受信回路４４により復元された検出データを取り込み、報知装置６０に出力することで、報知装置６０によりタイヤ状態を乗員に報知させるタイヤＥＣＵ５０とが備えられている。
【００４４】
タイヤＥＣＵ５０は、検出装置１０内の制御回路２０と同様、ＣＰＵ５２、ＲＯＭ５４、ＲＡＭ５６（ＲＯＭ５４およびＲＡＭ５６は、本発明でいう記憶手段）等を中心とするマイクロコンピュータにて構成されている。なお、ＲＡＭ５６は、車載バッテリからの給電が停止されてもデータが消失しない不揮発性のフラッシュメモリ等から構成されており、このＲＡＭ５６には検出装置１０毎に付与されたセンサＩＤ等が記憶される。
【００４５】
また、ＲＯＭ５４には、タイヤＥＣＵ５０にて実行されるプログラムや、タイヤ温度の許容範囲等が記憶されている。
次に、登録装置８０によりバーコードに記載されたセンサＩＤが読み取られ、車両２に登録されるまでの処理について、図２〜図４を用いて順次説明する。図２は登録装置８０を構成する読取装置８２が実行する登録指令送信処理を示すフローチャートである。
【００４６】
図２に示す登録指令送信処理は、客がタイヤを購入するために登録装置８０の電源が投入されると開始され、Ｓ１１０にて、バーコード読取機８４を用いて、センサＩＤおよび空気圧許容範囲が記載されたバーコードを読み取ったか否かを判断する。バーコードを読み取っていないと判断すればＳ１１０の処理を繰り返し、バーコードを読み取ったと判断すればＳ１２０に移行する。
【００４７】
Ｓ１２０では、バーコード読取機８４にて読み取ったバーコードの内容を解析し、Ｓ１３０に移行する。
そして、Ｓ１３０ではバーコードの内容であるセンサＩＤおよび空気圧許容範囲が正常に解析されたか否かを判断する。バーコードの解析結果が正常であると判断すればＳ１５０に移行し、バーコードの解析結果が異常であると判断すれば、Ｓ１４０にて図示しない表示装置に「ＮＧ」表示を行いＳ１１０に戻る。
【００４８】
次に、Ｓ１５０では、店員が操作する図示しないボタンからの信号を検出することにより、客が購入するタイヤの代金をクレジットカード決済するか否かを判断する。客がクレジットカード決済すると判断した場合にはＳ１６０に移行し、客がクレジットカード決済しないと判断した場合にはＳ２００に移行する。
【００４９】
そして、Ｓ１６０では、磁気読取機８６によりクレジットカードに埋め込まれた磁気テープに記載されたカード番号等の情報が読み取られたか否かを判断する。カード番号等の情報が読み取られたと判断すればＳ１７０に移行し、カード番号等の情報が読み取られていないと判断すればＳ１７０の処理を繰り返す。
【００５０】
次に、Ｓ１７０ではカード番号等の情報を解析しＳ１８０に移行する。
Ｓ１８０では、正常にカード情報を解析できたか否かを判断し、正常にカード情報を解析できたと判断すればＳ１９０に移行し、正常にカード情報を解析できなかったと判断すればＳ１５０に戻る。
【００５１】
そして、Ｓ１９０では、解析したカード情報に電子メールアドレスが含まれているか否かを判断する。電子メールアドレスが含まれていると判断すればＳ２１０に移行し、電子メールアドレスが含まれていないと判断すればＳ２００に移行する。
【００５２】
Ｓ２００に移行する場合には、図示しないボタンを店員が操作することにより電子メールアドレスを入力することになり、Ｓ２００では、その電子メールアドレスが入力されたか否かを判断する。電子メールアドレスが入力されたと判断すればＳ２１０に移行し、電子メールアドレスが入力されていないと判断すればＳ２００の処理を繰り返す。
【００５３】
そして、Ｓ２１０にて、クレジットカードから読み取られた電子メールアドレスまたは手入力された電子メールアドレスに、タイヤ識別情報とタイヤ識別情報の登録コマンドとが記述された電子メールを、通信装置８８を介して送信し、登録指令送信処理を終了する。
【００５４】
ここで、登録コマンドは、例えば、電子メールにおける件名(題名)に「＃＃ＩＤ」等の文字列を入力しておけばよい。
上記の登録指令送信処理にて送信された電子メールは、通信施設９０およびアンテナ７６を介して車両２のナビゲーション装置７０における通信装置７４にて受信される。このとき通信装置７４が実行する処理を、図３（ａ）を用いて説明する。図３（ａ）はナビＥＣＵ７２が実行する登録指令中継処理を示すフローチャートである。
【００５５】
図３（ａ）に示す登録指令中継処理は、ナビＥＣＵ７２が電子メールの受信を行なう際に起動する処理であり、まず、Ｓ３１０にてナビゲーション装置７０の通信装置７４が電子メールを受信したか否かを判断する。電子メールを受信したと判断すればＳ３２０に移行し、電子メールを受信していないと判断すれば登録指令中継処理を終了する。
【００５６】
次にＳ３２０では、受信した電子メールに登録コマンドが含まれているか否かを判断する。登録コマンドが含まれていると判断すればＳ３３０に移行し、車内ＬＡＮ６を介してタイヤＥＣＵ５０に登録コマンドと共にセンサＩＤを送信し、登録指令中継処理を終了する。
【００５７】
一方、Ｓ３２０にて登録コマンドが含まれていないと判断すれば、そのまま登録指令中継処理を終了する。
ここで、Ｓ３２０にて、登録コマンドが含まれているか否かの判断は、例えば、電子メールにおける件名(題名)に「＃＃ＩＤ」等の文字列が含まれるか否かを判断することにより行なわれる。
【００５８】
次に、ナビＥＣＵ７２から送信された登録コマンドおよびセンサＩＤを受信するタイヤＥＣＵ５０が実行するセンサＩＤ登録処理について、図３（ｂ）を用いて説明する。図３（ｂ）は、タイヤＥＣＵ５０が実行するセンサＩＤ登録処理を示すフローチャートである。
【００５９】
図３（ｂ）に示すセンサＩＤ登録処理は、タイヤＥＣＵ５０がタイヤＥＣＵ５０宛のコマンドを受信した際に実行される処理であって、まずＳ４１０にて、受信されたコマンドがセンサＩＤ登録コマンドであるか否かを判断する。
【００６０】
センサＩＤ登録コマンドであると判断すれば、Ｓ４２０に移行し、タイヤＥＣＵ５０内のＲＡＭにセンサＩＤを登録し、センサＩＤ登録処理を終了する。
一方、Ｓ４１０にて、受信されたコマンドがセンサＩＤ登録コマンドではないと判断すれば、そのままセンサＩＤ登録処理を終了する。
【００６１】
ここで、Ｓ４２０にて登録されるセンサＩＤは、非アクティブ状態（無効登録）で登録される。なお、後述するが、登録されたセンサＩＤが非アクティブ状態のときは、センサＩＤがタイヤＥＣＵ５０に登録されていても空気圧を検出しないよう構成されている。
【００６２】
また、この非アクティブ状態をアクティブ状態(有効登録)にする処理は、図５に示すタイヤ状態監視処理の中で行なわれる。
以下に、監視装置４０内のタイヤＥＣＵ５０が車両に搭載された各タイヤの状態を監視するために実行するタイヤ状態監視処理を、図４に示すフローチャートに沿って詳しく説明する。
【００６３】
なお、タイヤ状態監視処理は、監視装置４０において、車両のキーレスエントリシステムによってドアロックが解除されたとき等、車両が走行前に操作されたときや、イグニッションスイッチがオンされエンジンが起動された後に開始される処理である。
【００６４】
図４に示すタイヤ状態監視処理は、まずＳ５１０にて検出装置１０からの信号(空気圧、温度等のタイヤ情報)を受信したか否かを判断する。検出装置１０からの信号を受信したと判断すればＳ５２０に移行し、検出装置１０からの信号を受信していないと判断すればＳ５１０の処理を繰り返す。
【００６５】
Ｓ５２０では、検出装置１０から受信した信号に含まれるセンサＩＤが、タイヤＥＣＵ５０に登録されているセンサＩＤと一致するか否かを判断する。また、これらのセンサＩＤが一致する場合には、登録されているセンサＩＤがアクティブ状態か非アクティブ状態かも判断する。Ｓ５２０にて受信したセンサＩＤと登録されているセンサＩＤとが一致し、且つ、登録されているセンサＩＤが非アクティブ状態であると判断すればＳ５３０に移行し、登録されているセンサＩＤがアクティブ状態であると判断すればＳ５６０に移行する。
【００６６】
一方、Ｓ５２０にて、受信したセンサＩＤと登録されているセンサＩＤとが一致しないと判断すれば、このままタイヤ状態監視処理を終了し、Ｓ５１０からの処理を繰り返す。
次に、Ｓ５３０では、検出装置１０から受信した信号に含まれるタイヤ温度を取得し、タイヤＥＣＵ５０のＲＡＭ５６に記憶する。
【００６７】
そして、Ｓ５４０に移行し、Ｓ５４０では、ＲＡＭ５６に記憶したタイヤ温度が前回ＲＡＭ５６に記憶したタイヤ温度と比較して、所定の温度以上上昇したか否かを判断する。タイヤ温度の上昇が所定以上であると判断すれば、Ｓ５５０に移行し、Ｓ５５０では、このタイヤは装着されているものとして、このタイヤ４のセンサＩＤを非アクティブ状態からアクティブ状態に切り替えてＲＡＭ５６に記憶する。そしてＳ５７０に移行する。なお、アクティブ状態に設定するセンサＩＤは４つ(つまり車両２の車輪の数に一致)までとし、５つ目のセンサＩＤをアクティブ状態に設定する際には、既にアクティブ状態に設定されたセンサＩＤのうち、最初にアクティブ状態に設定されたセンサＩＤを非アクティブ状態に設定変更する。このような構成により、装着されているタイヤ４の検出装置１０から送信されたセンサＩＤのみを常にアクティブに設定することができ、装着されていないタイヤ４のタイヤ状態を検出してしまうことを防止している。
【００６８】
一方、Ｓ５４０にて、タイヤ温度の上昇が所定温度未満であると判断すれば、タイヤ状態監視処理を終了し、Ｓ５１０からの処理を繰り返す。
次に、Ｓ５２０にて受信したセンサＩＤと登録されているセンサＩＤとが一致し、且つ、登録されているセンサＩＤが非アクティブ状態であると判断した場合に移行するＳ５６０では、検出装置１０から受信した信号に含まれるタイヤ温度を取得し、Ｓ５７０に移行する。
【００６９】
そして、Ｓ５７０では、検出装置１０から受信した信号に含まれるタイヤ空気圧を取得する。
そしてＳ５８０に移行し、Ｓ５８０では、このタイヤ空気圧がタイヤ毎に設定された空気圧許容範囲内であるか否かを判断する。タイヤ空気圧が空気圧許容範囲内であると判断すればＳ５９０に移行し、タイヤ空気圧が空気圧許容範囲外であると判断すればＳ６１０に移行する。
【００７０】
そして、Ｓ５９０では、タイヤ温度が予め設定された許容範囲内であるか否かを判断する。タイヤ温度が許容範囲内であると判断すればＳ６００に移行し、タイヤ温度が許容範囲外であると判断すればＳ６１０に移行する。
【００７１】
Ｓ６００では、車内ＬＡＮ６を介して報知装置６０にタイヤ空気圧およびタイヤ温度が正常である旨の表示をさせ、その後タイヤ状態監視処理を終了し、Ｓ５１０からの処理を繰り返す。
【００７２】
また、Ｓ６１０では、車内ＬＡＮ６を介して報知装置６０にタイヤ空気圧またはタイヤ温度に異常がある旨の表示および警報音の鳴動をさせ、その後タイヤ状態監視処理を終了し、Ｓ５１０からの処理を繰り返す。
【００７３】
ここで、図３（ｂ）に示すセンサＩＤ登録処理、および図４に示すタイヤ状態監視処理におけるＳ５４０〜Ｓ５５０の処理は、本発明の登録手段に該当する。また、タイヤ状態監視処理におけるＳ５２０〜Ｓ５３０およびＳ５６０〜Ｓ５７０の処理は、タイヤ状態取得手段に該当する。さらに、タイヤ状態監視処理におけるＳ５８０およびＳ６１０の処理は、異常検知手段に該当する。
【００７４】
以上のように詳述したタイヤ識別情報登録システムにおいて、読取装置８２はバーコードからセンサＩＤを取得し、通信装置８８は読取装置８２が取得したセンサＩＤを含む登録指令を車両２に対して送信する。そして、車両２に搭載されたタイヤＥＣＵ５０は、通信装置８８からの登録指令を受信すると、この登録指令に含まれるセンサＩＤをＲＡＭ５６に非アクティブ登録する。そして、タイヤＥＣＵ５０は、検出装置１０がタイヤ温度を取得すると、タイヤ温度に基づいてタイヤ４が車両２に装着されているか否かを判断し、タイヤ４が車両２に装着されている判断した場合には、センサＩＤをＲＡＭ５６にアクティブ登録する。
【００７５】
従って、このようなタイヤ識別情報登録システムによれば、面倒な入力操作することなくセンサＩＤを取得することができ、取得されたセンサＩＤを車両２側に登録することができるので、センサＩＤの登録を容易にすることができる。また、各タイヤ４にセンサＩＤを登録するためのスイッチ等を配置する必要がないので、タイヤ４の重量が重くなることがなく、車両２の走行性能を悪化させることがない。
【００７６】
また、タイヤＥＣＵ５０が装着されているタイヤ４を認識することができるので、タイヤ交換やタイヤ購入時に装着されていないタイヤ空気圧を誤って検知することを防止することができ、装着されたタイヤ４について確実に空気圧を検知することができる。
【００７７】
さらに、読取装置８２は、車両２を特定するためのメールアドレスとセンサＩＤとを車両２の外部から取得し、そして、通信装置８８は、メールアドレスに基づいて特定される車両２に対して、読取装置８２により取得されたセンサＩＤを含む登録指令を、通信施設９０およびナビゲーション装置７０を介してタイヤＥＣＵ５０に対して送信するよう構成されている。
【００７８】
従って、メールアドレスによりセンサＩＤを送信する車両２を特定することができるので、不要なセンサＩＤが登録されることを防止することができる。
さらに、読取装置８２が取得するメールアドレスは電子メールアドレスであって、通信装置８８は登録指令が記述された電子メールを車両２に対して送信するよう構成されているので、広く普及している電子メールを車両２に送信することによりセンサＩＤを登録することができる。このため、汎用性の高いタイヤ識別情報登録システムとすることができる。
【００７９】
また、タイヤ空気圧監視システムには、タイヤ空気圧が許容範囲外であると判定した場合に、異常を運転者に報知する報知装置６０を備えており、読取装置８２は、センサＩＤに加えて空気圧許容範囲も取得し、通信装置８８は読取装置８２により取得されたセンサＩＤおよび空気圧許容範囲を含む登録指令を車両２に対して送信し、タイヤＥＣＵ５０は、センサＩＤに加えて空気圧許容範囲もＲＡＭ５６に登録するよう構成されている。
【００８０】
従って、タイヤ４毎に適切な空気圧が異なっていた場合であっても、タイヤ４毎に異なる適切な空気圧許容範囲を設定することができるので、タイヤ空気圧がタイヤ４毎に設定された空気圧許容範囲から逸脱した場合に、報知装置６０により異常として報知することができる。このため、タイヤ４の空気圧に異常が発生した場合に、例えば、単に空気圧を数値にて報知する場合と比較して、車両２の乗員に分かり易く報知することができる。
【００８１】
また、読取装置８２は、バーコードを読み取ることによりバーコードに記載されたセンサＩＤを読み取るよう構成されているので、読取装置８２により容易かつ確実にセンサＩＤを読み取ることができ、センサＩＤの登録を容易にすることができる。
【００８２】
このようなタイヤ識別情報登録システムに使用される登録装置８０によれば、面倒な入力操作することなくセンサＩＤを取得することができ、取得されたセンサＩＤを車両２側に登録することができるので、車両２の走行性能を悪化させることなくセンサＩＤの登録を容易にすることができる。
【００８３】
また、タイヤ４からセンサＩＤ登録信号を発信させる構成にし、各タイヤ４にセンサＩＤ登録信号を発生させるためのスイッチ等を備える構成に比べて、本実施例のタイヤ識別情報登録システムにおいては、タイヤ４に備える部品の点数を削減することができるので、車両２本体よりも大量に生産するタイヤ４の製造コストを削減することができる。
【００８４】
なお、本発明の実施の形態は、上記の実施例に何ら限定されることはなく、本発明の技術的範囲に属する限り種々の形態を採りうる。
例えば、本実施例のタイヤ識別情報登録システムにおいて、検出装置１０は装着情報としてタイヤ温度を検出し、タイヤＥＣＵ５０がタイヤ温度の変化を検出することによりタイヤ４が装着されているか否かを判断する構成にしたが、特にこのような構成に限らず、例えば、検出装置１０は、振動や加速度、或いは遠心力等を検出し、タイヤＥＣＵ５０はこの検知結果に基づいてタイヤ４が装着されているか否かを判断するよう構成してもよい。
【００８５】
また、本実施例において、読取装置８２が空気圧許容範囲を取得するためには２つの数値（上限値および下限値）を取得する必要があるが、特にこの構成に限定されるのではなく、読取装置８２は空気圧閾値としての１つ数値（上限値または下限値）を取得するよう構成してもよい。
【００８６】
さらに、本実施例のタイヤ識別情報登録システムにおいては、車両２外部に配置された登録装置８０と車両２とは、インターネット網８、通信施設９０およびナビゲーション装置７０を介して無線にて接続するよう構成したが、特にこのような構成に限らず、例えば、ケーブル等を用いて有線にて接続する構成にしてもよい。
【００８７】
また、本実施例のタイヤ識別情報登録システムにおいて、登録装置８０は、バーコード読取機８４や磁気読取機８６により各種情報（空気圧許容範囲、センサＩＤ、メールアドレス、クレジットカード番号等の情報）を読み取るよう構成したが、特にこのように構成する必要はなく、例えば、予めＩＣタグに各種情報を書き込んでおき、ＩＣタグ読取装置により各種情報を読み取るよう構成してもよい。
【００８８】
さらに、無線にて登録装置８０と車両２とを無線にて接続する場合であっても、インターネット網８、通信施設９０およびナビゲーション装置７０を介すことなく直接登録装置８０と車両２とを接続してもよい。具体的には、例えば図５に示すような構成にすればよい。すなわち、ＲＡＭ５６には、予め車両２を特定するための車両ＩＤ（車両識別情報）を登録しておき、読取装置８２は、車両２を特定するための車両ＩＤとセンサＩＤとを車両２の外部から取得する。そして、通信装置８８は、読取装置８２により取得された各識別情報を含む登録指令を無線送信する。その後、タイヤＥＣＵ５０は通信装置８８からの登録指令を受信すると予めＲＡＭ５６に登録された車両識別情報がタイヤＥＣＵ５０から受信した車両識別情報と一致するか否かを判断し、車両識別情報が一致する場合に、センサＩＤをＲＡＭ５６に登録する。
【００８９】
このような構成にしても、上述のタイヤ識別情報登録システムと同様の効果が得られる。
【図面の簡単な説明】
【００９０】
【図１】タイヤ識別情報登録システム全体構成を表す説明図である。
【図２】登録指令送信処理を示すフローチャートである。
【図３】登録指令中継処理を示すフローチャート（ａ）、およびセンサＩＤ登録処理を示すフローチャート（ｂ）である。
【図４】タイヤ状態監視処理を示すフローチャートである。
【図５】変形例におけるタイヤ識別情報登録システム全体構成を表す説明図である。
【符号の説明】
【００９１】
２…車両、４…タイヤ、６…車内ＬＡＮ、８…インターネット網、１０…検出装置、２０…制御回路、２２…圧力センサ、２４…温度センサ、２８…送信回路、４０…監視装置、４４…受信回路、５０…タイヤＥＣＵ、６０…報知装置、７０…ナビゲーション装置、７２…ナビＥＣＵ、７４…通信装置、８０…登録装置、８２…読取装置、８４…バーコード読取機、８６…磁気読取機、８８…通信装置、９０…通信施設。
【図１】
2005231584.tif 000003
【図２】
2005231584.tif 000004
【図３】
2005231584.tif 000005
【図４】
2005231584.tif 000006
【図５】
2005231584.tif 000007